【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
表示部から投影された投影光を反射性部材で反射させて、運転者の前方に交差点における誘導経路を虚像として表示する車両用ヘッドアップディスプレイ装置であって、
前記表示部は、それぞれ光源が配置された複数の空洞状の反射面を有するライティングボックスと、該ライティングボックスの表面に設けられた前記反射面の出射部分を覆うように設置された表示板とを有し、
該表示板は、前記反射面の各出射部分の位置に、
交差点の位置を示す第１表示セグメントと、
該第１表示セグメントを取り囲む複数の第２表示セグメントと、
該複数の第２表示セグメントのさらに外周に設けられ、前記第１表示セグメントおよび前記第２表示セグメントとは異なる形状を有する複数の第３表示セグメントと、からなる誘導経路表示セグメントを有することを特徴とする車両用ヘッドアップディスプレイ装置。
【請求項２】
前記複数の第３表示セグメントは、矢印形状であることを特徴とする請求項１に記載の車両用ヘッドアップディスプレイ装置。
【請求項３】
前記複数の第２セグメントは、前記第１表示セグメントを中心として、環状に配置されていることを特徴とする請求項１または請求項２に記載の車両用ヘッドアップディスプレイ装置。
【請求項４】
前記第１表示セグメント、第２表示セグメント、第３表示セグメントのうちの、少なくとも２つの表示セグメントによって誘導経路の表示が可能であることを特徴とする請求項１ないし請求項３のいずれか１項に記載の車両用ヘッドアップディスプレイ装置。
【請求項５】
前記第２表示セグメントは、前記第１表示セグメントが示す交差点回りの経路を誘導する表示とされると共に、
前記第３表示セグメントは、前記第１表示セグメントが示す交差点からの脱出方向を示す表示とされることを特徴とする請求項１ないし請求項４のいずれか１項に記載の車両用ヘッドアップディスプレイ装置。
【請求項６】
前記表示部は、さらに、前記誘導経路表示セグメントの近傍に、前記車両から前記交差点までの距離を表す複数の距離表示セグメントを有することを特徴とする請求項１から請求項５のいずれか１項に記載の車両用ヘッドアップディスプレイ装置。
【手続補正２】
【補正対象書類名】明細書
【補正対象項目名】０００７
【補正方法】変更
【補正の内容】
【０００７】
前記課題を解決するために、本発明に係る車両用ヘッドアップディスプレイ装置は、表示部から投影された投影光を反射性部材で反射させて、運転者の前方に交差点における誘導経路を虚像として表示する車両用ヘッドアップディスプレイ装置であって、前記表示部は、それぞれ光源が配置された複数の空洞状の反射面を有するライティングボックスと、該ライティングボックスの表面に設けられた前記反射面の出射部分を覆うように設置された表示板とを有し、該表示板は、前記反射面の各出射部分の位置に、交差点の位置を示す第１表示セグメントと、該第１表示セグメントを取り囲む複数の第２表示セグメントと、該複数の第２表示セグメントのさらに外周に設けられ、前記第１表示セグメントおよび前記第２表示セグメントとは異なる形状を有する複数の第３表示セグメントと、からなる誘導経路表示セグメントを有することを特徴とする。
【手続補正３】
【補正対象書類名】明細書
【補正対象項目名】００１３
【補正方法】変更
【補正の内容】
【００１３】
セグメント型表示部４０（表示部）は、複数の照明光源が実装された照明実装基板２０と、ライティングボックス２５と、表示板３０（または文字板）と、からなる。
【手続補正４】
【補正対象書類名】明細書
【補正対象項目名】００１４
【補正方法】変更
【補正の内容】
【００１４】
表示板３０は、セグメント型表示部４０（表示部）の表面に平面状に形成されて、車両１０の前方側がコンバイナ５０により近接した位置に配置されて、車両１０の後方側がコンバイナ５０からより離れた位置に配置されるように設置されている。表示板３０の表面には、車両１０の進行方向を示す、透光性を有する複数の固定セグメントである誘導経路表示セグメント３１が設けられている。
【手続補正５】
【補正対象書類名】明細書
【補正対象項目名】００２２
【補正方法】変更
【補正の内容】
【００２２】
図２は、前述した表示板３０上に形成された誘導経路表示セグメント３１の構成を示す。この誘導経路表示セグメント３１は、図１に示すように、セグメント型表示部４０（表示部）の表示板３０に形成されている。また、図３は、図１のセグメント型表示部４０を切断線Ａ−Ａで切った断面図を示す。
【手続補正６】
【補正対象書類名】明細書
【補正対象項目名】００３３
【補正方法】変更
【補正の内容】
【００３３】
ライティングボックス２５の内部は、各白色ＬＥＤ２２ａ，２２ｂ，２２ｃ，２２ｄ，２２ｅの上方が、各ＬＥＤを取り囲んで上方に延びる空洞となっている。各空洞の内面２５ａ，２５ｂ，２５ｃ，２５ｄ，２５ｅには、白色ＬＥＤ２２ａ，２２ｂ，２２ｃ，２２ｄ，２２ｅから出射した光をライティングボックス２５の上方に向けて反射する反射面が形成されている。これらの反射面はセグメント型表示部４０（表示部）の斜面側に貫通しており、反射面が貫通した位置には表示板３０が設置されている。
【手続補正７】
【補正対象書類名】明細書
【補正対象項目名】００３４
【補正方法】変更
【補正の内容】
【００３４】
表示板３０において、各空洞が貫通した位置には、複数のセグメント３２ｄ，３４ｄ，３６，３４ｈ，３２ｈが形成されている。したがって、各白色ＬＥＤ２２ａ，２２ｂ，２２ｃ，２２ｄ，２２ｅから出射した光は、表示板３０上に形成された各セグメント３２ｄ，３４ｄ，３６，３４ｈ，３２ｈを通過してセグメント型表示部４０（表示部）から出射し、投影光４５（図１）としてコンバイナ５０（図１）に投影される。
【手続補正８】
【補正対象書類名】明細書
【補正対象項目名】００３５
【補正方法】変更
【補正の内容】
【００３５】
なお、表示板３０上の各セグメント３２ｄ，３４ｄ，３６，３４ｈ，３２ｈには、必要に応じて色フィルタを装着してもよい。この色フィルタの作用によって、投影光４５（図１）は色フィルタに応じた色の光となるため、結像される虚像５５は色フィルタに応じた色に着色される。
【手続補正９】
【補正対象書類名】明細書
【補正対象項目名】００３８
【補正方法】変更
【補正の内容】
【００３８】
このとき、表示板３０上の各セグメント（例えば、図１の第１表示セグメント３６）から出射した投影光４５は、運転者８０の眼球８２とコンバイナ５０上の反射点Ｒとを結ぶ直線Ｌ上に、各セグメントの虚像５５を形成する。なお、虚像５５は、各セグメントと反射点Ｒの距離ｄに応じた位置に結像する。
【手続補正１０】
【補正対象書類名】明細書
【補正対象項目名】００６７
【補正方法】変更
【補正の内容】
【００６７】
以上説明したように、実施例１に係る車両用ヘッドアップディスプレイ装置１００によれば、交差点の位置を示す第１表示セグメント３６と、第１表示セグメント３６を取り囲む複数の第２表示セグメント３４と、複数の第２表示セグメント３４のさらに外周に設けられた複数の第３表示セグメント３２と、からなる誘導経路表示セグメント３１を有するセグメント型表示部４０（表示部）から運転者８０の前方に投影された投影光４５をコンバイナ５０（反射性部材）で反射させて、交差点における誘導経路を虚像５５として表示するため、複数の第２表示セグメント３４と複数の第３表示セグメント３２を組み合わせて点灯することによって、自由形状の誘導経路を表示することが可能な液晶パネルを使用することなく、直近の交差点における誘導経路のみならず、当該交差点に近接した次の交差点における誘導経路も同時に表示することができる。したがって、単なる右左折のみでは表現することができない誘導経路をわかりやすく表示することが可能な車両用ヘッドアップディスプレイ装置を安価に実現することができる。
この際、複数の第３表示セグメントを、矢印形状としても良い。
複数の第２セグメントは、第１表示セグメントを中心として、環状に配置しても良い。
第１表示セグメント、第２表示セグメント、第３表示セグメントのうちの、少なくとも２つの表示セグメントを使用して誘導経路を表示するようにしても良い。
第２表示セグメントは、第１表示セグメントで示す交差点回りの経路を誘導する表示とされると共に、第３表示セグメントは、第１表示セグメントで示す交差点からの脱出方向を示す表示としても良い。
【手続補正１１】
【補正対象書類名】明細書
【補正対象項目名】００７３
【補正方法】変更
【補正の内容】
【００７３】
１０・・・・車両
２０・・・・照明実装基板
２５・・・・ライティングボックス
３０・・・・表示板
３１・・・・誘導経路表示セグメント
３２・・・・第３表示セグメント
３４・・・・第２表示セグメント
３６・・・・第１表示セグメント
４０・・・・セグメント型表示部（表示部）
４５・・・・投影光
５０・・・・コンバイナ（反射性部材）
５５・・・・虚像
６０・・・・照明光源制御部
７０・・・・カーナビゲーション装置
８０・・・・運転者
８２・・・・眼球
１００・・・車両用ヘッドアップディスプレイ装置